【手続補正書】
【提出日】平成27年1月20日(2015.1.20)
【手続補正１】
【補正対象書類名】特許請求の範囲
【補正対象項目名】全文
【補正方法】変更
【補正の内容】
【特許請求の範囲】
【請求項１】
実行可能な命令とともに構成される１つまたは複数のプロセッサの制御下で、
複数の異なるように変調された信号をリッスンするステップと、
前記複数の異なるように変調された信号のうちの１つに関連付けられたプリアンブルを検出するステップであって、前記検出することは、状態機械における第１の状態で実行され、および、前記検出することは、複数のプリアンブル検出プロセスの並列処理を備える、ステップと、
前記プリアンブルによって示されるプロトコルを識別するステップと、
前記プロトコルに従って、受信されたパケットを復調するステップであって、前記復調することは、前記状態機械における第２の状態で実行され、および、前記復調することは、パケット復調器による直列処理を備える、ステップと
を含むことを特徴とする方法。
【請求項２】
前記受信されたパケットを復調するステップは、前記プロトコルと調和するソフトウェア無線の設定を行うことを含むことを特徴とする請求項１に記載の方法。
【請求項３】
前記複数の異なるように変調された信号をリッスンするステップは、
前記異なるように変調された信号の全てについて、同一チャネルの中心周波数上でリッスンすることと、
前記異なるように変調された信号のいずれかによって使用される最も広い帯域幅と同じ帯域幅にわたってリッスンすることと
を含むことを特徴とする請求項１に記載の方法。
【請求項４】
前記複数の異なるように変調された信号をリッスンするステップは、
帯域幅内で定義された複数のチャネルにわたって周波数ホッピングをすること、および、各ホップで前記複数の異なるように変調された信号をリッスンすることと、
複数のプロトコルの全てについて同一の周波数ホッピングパターンを使用することと
を含むことを特徴とする請求項１に記載の方法。
【請求項５】
実行可能な命令とともに構成される１つまたは複数のプロセッサの制御下で、
無線周波数（ＲＦ）信号によって定義されるプリアンブルを受信するステップであって、前記受信することは、並列に動作する、複数のプリアンブル検出プロセスによって実行される、ステップと、
前記複数のプリアンブル検出プロセスのうちの１つで前記プリアンブルを検出するステップと、
前記検出されたプリアンブルをプロトコルに関連付けるステップと、
前記検出されたプリアンブルを前記プロトコルに関連付けることに応答して、前記複数のプリアンブル検出プロセスの並列処理に関連付けられた状態機械における第１の状態から、直列処理に関連付けられた前記状態機械における第２の状態へ、前進するステップと、
前記直列処理について、前記プロトコルに従って、ソフトウェア無線を構成するステップと、
前記ソフトウェア無線を使用してパケットを受信するステップと、
前記プロトコルに従って、前記受信されたパケットを復調するステップと
を含むことを特徴とする方法。
【請求項６】
前記複数のプリアンブル検出プロセスは、それぞれ、複数のプロトコルに関連付けられることを特徴とする請求項５に記載の方法。
【請求項７】
前記ソフトウェア無線を構成するステップは、
前記プロトコルを使用して、前記ソフトウェア無線のフィルタおよび復調器を構成することを含むことを特徴とする請求項５に記載の方法。
【請求項８】
前記ソフトウェア無線を構成するステップは、
前記ソフトウェア無線の設定を行うことであって、前記設定は、前記プロトコルに従って、変調されたデータを処理することのために示されるように、ミキサ、フィルタ、および、増幅器を構成する、ことを含むことを特徴とする請求項５に記載の方法。
【請求項９】
前記プリアンブルを受信するステップは、ハードウェア装置によって並列処理モードで実行され、
前記受信されたパケットを復調するステップは、前記ソフトウェア無線によって直列処理モードで実行される
ことを特徴とする請求項５に記載の方法。
【請求項１０】
前記複数のプリアンブル検出プロセスは、以前に受け取られたプリアンブルまたは受け取られる見込みであるプリアンブルに関連付けられることを特徴とする請求項５に記載の方法。
【請求項１１】
複数のプロトコル受信機であって、
プロセッサと、
前記プロセッサと通信するメモリと、
信号を受信するためのアンテナと、
前記アンテナと通信する、無線周波数（ＲＦ）フロントエンドと、
前記プロセッサ上で動作しおよび情報を前記ＲＦフロントエンドから受信するように構成された、複数の異なるプリアンブル検出プロセスであって、前記複数のプリアンブル検出プロセスの各々は、複数の異なるプリアンブルのうちの１つおよび複数の異なるプロトコルのうちの１つに関連付けられる、複数の異なるプリアンブル検出プロセスと、
複数の異なるパケット復調器であって、前記複数の異なるパケット復調器の各パケット復調器は、前記複数の異なるプロトコルプリアンブル検出プロセスに関連付けられ、前記複数の異なるプリアンブル検出プロセスのそれぞれのプリアンブル検出プロセスによるプリアンブルの検出の成功は、関連付けられたパケット復調器の実行をもたらす、複数の異なるパケット復調器と
を備えたことを特徴とする複数のプロトコル受信機。
【請求項１２】
前記複数の異なるプリアンブル検出プロセスは、前記プロセッサ上で並列処理用に構成されたことを特徴とする請求項１１に記載の複数のプロトコル受信機。
【請求項１３】
前記複数のプロトコル受信機は、
前記複数の異なるプリアンブル検出プロセスの並列処理から、前記関連付けられたパケット復調器をともなうパケットの直列の復調へ、切り替えるために構成され、
前記切り替えることは、前記プリアンブルの検出に応答して実行され、
プリアンブル検出は、並列処理モードで実行され、データ復調は、前記プロトコルに従って直列モードで実行され、両方が同一のパケット上で実行される
ことを特徴とする請求項１１に記載の複数のプロトコル受信機。
【請求項１４】
前記複数の異なるプリアンブル検出プロセスは、複数の世代のノードからプリアンブルをリッスンし、前記複数の世代のノードは、複数の異なる変調の種類を有するように構成されたことを特徴とする請求項１１に記載の複数のプロトコル受信機。
【請求項１５】
実行されるときに方法を行うように構成される、コンピュータ実行可能命令として前記メモリで定義された状態機械をさらに備え、前記方法は、
前記複数の異なるプリアンブル検出プロセスを並列処理モードで実行するステップと、
前記プリアンブルの検出に応答して、前記並列処理モードから直列処理モードへ切り替えるステップと、
前記直列処理モードで前記パケットを復調するステップと
を含むことを特徴とする請求項１１に記載の複数のプロトコル受信機。
【請求項１６】
前記プロトコルに従って構成されるフィルタおよび復調器を有するソフトウェア無線をさらに備えたことを特徴とする請求項１１に記載の複数のプロトコル受信機。
【請求項１７】
複数のプロトコル受信機であって、
アンテナと、
前記アンテナと通信する、複数の異なるように変調された信号をリッスンするための無線機と、
１つまたは複数のハードウェア集積回路であって、
前記無線機によって受信された前記複数の異なるように変調された信号のうちの１つに関連付けられたプリアンブルを、複数のプリアンブル検出プロセスの並列動作により検出し、各々は、前記複数の異なるように変調された信号のうちの１つをリッスンするようにそれぞれ構成され、
前記プリアンブルによって示されるプロトコルを識別し、
前記プロトコルに従って、パケットを復調するための１つまたは複数のハードウェア集積回路と
を備えたことを特徴とする複数のプロトコル受信機。
【請求項１８】
前記プリアンブルを検出することは、状態機械における第１の状態で並列処理によって実行され、
前記パケットを復調することは、前記状態機械における第２の状態で直列処理によって実行される
ことを特徴とする請求項１７に記載の複数のプロトコル受信機。
【請求項１９】
前記無線機は、
前記異なるように変調された信号の全てについて、同一チャネルの中心周波数上でリッスンし、
前記異なるように変調された信号のいずれかによって使用される最も広い帯域幅と同じ帯域幅にわたってリッスンする
ために構成されたことを特徴とする請求項１７に記載の複数のプロトコル受信機。
【請求項２０】
前記無線機は、
帯域幅内で定義された複数のチャネルにわたって周波数ホッピングし、および、各ホップで前記複数の異なるように変調された信号をリッスンし
複数のプロトコルの全てについて同一の周波数ホッピングパターンを使用する
ために構成されたことを特徴とする請求項１７に記載の複数のプロトコル受信機。
【請求項２１】
前記１つまたは複数のハードウェア集積回路は、
前記プリアンブルを検出することおよび前記プロトコルを識別することに応答して、状態機械における第１の状態から前記状態機械における第２の状態へ前進するために構成され、
前記第１の状態は、並列処理を備え、前記第２の状態は、直列処理を備える
ことを特徴とする請求項１７に記載の複数のプロトコル受信機。